(57)【要約】【課題】車椅子等を使用したユーザーがプラテンガラスに原稿を載せるために必要なスペースを得るまでプラテンカバーを開けることができる画像形成装置を得る。【解決手段】車椅子を使用したユーザーがプラテンカバー５０を開く場合は、ユーザーは手を伸ばして収納位置にあるリンク部材５８の把手６６を握り、引き寄せる。リンク部材５８をピン６２中心に回動させ、Ｕ溝５６に円柱部材５４を係合させる。次に、ユーザーが把手６６を斜め上方に突き出し、リンク部材５８のスライド溝６０をピン６２に沿ってスライドさせ、Ｕ溝５６に係合した円柱部材５４を押し上げ、プラテンカバー５０を開ける。ピン６２をロック溝６４に係合させることで、プラテンカバー５０は開放状態で保持される。このように、車椅子を使用したユーザーがプラテンガラスに原稿を載せるために必要なスペースを得るまでプラテンカバー５０を開けることができる。【選択図】図１
2008118528.tif 000002
【特許請求の範囲】
【請求項１】
原稿が載置されるプラテンガラスと、
前記プラテンガラス上に載置された原稿を押圧保持するプラテンカバーと、
前記プラテンカバーの側面に設けられた係合部材と、
装置本体の側面に上下方向へ移動可能に取り付けられたリンク部材と、
前記リンク部材の上端部に設けられ、前記リンク部材を上方へ移動させると前記係合部材と係合し前記プラテンカバーを開閉すると共に、前記プラテンカバーを把持して開閉させるときに前記係合部材と係合しない位置にある溝部と、
前記プラテンカバーの下方に設けられ、前記リンク部材を上下方向へ移動させる操作部と、
を有することを特徴とする画像形成装置。
【請求項２】
前記溝部には、前記リンク部材の収納位置で、前記係合部材と干渉しないように開放された開放部が形成されていることを特徴とする請求項１記載の画像形成装置。
【請求項３】
前記操作部は、前記リンク部材に設けられた把手であって、前記把手が前記リンク部材の長手方向に沿って複数個設けられていることを特徴とする請求項１又は２記載の画像形成装置。
【請求項４】
前記リンク部材には、前記リンク部材の長手方向に沿って伸びるスライド溝が設けられ、前記装置本体の側面には、前記スライド溝が嵌るピンが設けられていることを特徴とする請求項１乃至３何れか１項記載の画像形成装置。
【請求項５】
前記ピンが係合して前記リンク部材を所定の位置でロックするロック部が前記スライド溝につながって設けられていることを特徴とする請求項４記載の画像形成装置。
【請求項６】
前記操作部は、
装置本体に回動可能に取り付けられたレバーと、
前記レバーの回転軸に設けられ、前記プラテンカバーを開ける方向だけに回転すると共に、ギア歯を有しない歯無部を備えるラチェットギアと、
前記ラチェットギアから回転力が伝達されると共に、前記プラテンカバーの所定の開放位置で前記歯無部と対向するギア群と、
前記リンク部材に設けられ、前記ギア群と噛合うラックギアと、
を備えることを特徴とする請求項１又は２記載の画像形成装置。
【請求項７】
前記ラックギアと噛合うと共に、回転抵抗力が付与されたダンパーギアを備えることを特徴とする請求項６記載の画像形成装置。
【発明の詳細な説明】
【技術分野】
【０００１】
本発明は、シート材に画像を形成する画像形成装置に関する。
【背景技術】
【０００２】
画像形成装置には、原稿が載置されるプラテンガラスを覆うプラテンカバーを後方へ開けるため、把手がプラテンカバーの前面に設けられている。
【０００３】
しかし、車椅子を使用するユーザーが正面から画像形成装置に接近して、この把手を握ってプラテンカバーを開けようとすると、把手はプラテンカバーの開度が増すに従って後方（ユーザーに対して反対方向）へ移動し、ユーザーから離れる。このため、車椅子に座るユーザーは、原稿をプラテンガラスに載せるときにプラテンカバーをジャマにならない開度まで開くことができない。
【０００４】
そこで、プラテンカバーの側面に把手を設け、車椅子を使用したユーザーが、画像成形装置の側方へ接近してこの把手を押し上げることで、プラテンカバーを開けることができる画像形成装置が提案されている。（特許文献１）
【特許文献１】特開２００３−１１０７６８公報
【発明の開示】
【発明が解決しようとする課題】
【０００５】
しかし、この画像形成装置によると、車椅子を使用するユーザーは、手の届く範囲でしかプラテンカバーを開けることはできない。つまり、プラテンカバーの高さが高い場合、ユーザーは、プラテンガラスの上に原稿を載せるのに必要なスペースを得るまでプラテンカバーを開けることができないことが考えられる。
【０００６】
本発明は、上記事実を考慮し、車椅子等を使用したユーザーがプラテンガラスに原稿を載せるために必要なスペースを得るまでプラテンカバーを開けることができる画像形成装置を提供することが課題である。
【課題を解決するための手段】
【０００７】
本発明の請求項１に係る画像形成装置は、原稿が載置されるプラテンガラスと、前記プラテンガラス上に載置された原稿を押圧保持するプラテンカバーと、前記プラテンカバーの側面に設けられた係合部材と、装置本体の側面に上下方向へ移動可能に取り付けられたリンク部材と、前記リンク部材の上端部に設けられ、前記リンク部材を上方へ移動させると前記係合部材と係合し前記プラテンカバーを開閉すると共に、前記プラテンカバーを把持して開閉させるときに前記係合部材と係合しない位置にある溝部と、前記プラテンカバーの下方に設けられ、前記リンク部材を上下方向へ移動させる操作部と、を有することを特徴とする。
【０００８】
上記構成によれば、プラテンガラス上に原稿を載置する場合に、車椅子を使用したユーザーは、プラテンカバーの下方に設けられた操作部を操作してリンク部材を上方へ移動させ、リンク部材の先端に設けられた溝部をプラテンカバーの側面に設けられた係合部と係合させてプラテンカバーを開閉する。
【０００９】
このように、車椅子等を使用したユーザーはプラテンガラスに原稿を載せるために必要なスペースを得るまでプラテンカバーを開けることができる。
【００１０】
一方、プラテンカバーを把持して開閉させるときに溝部は、係合部材と係合しない位置にあるため、健常者は、リンク部材に干渉されずに通常どおりプラテンカバーを開閉することができる。
【００１１】
本発明の請求項２に係る画像形成装置は、請求項１記載において、前記溝部には、前記リンク部材の収納位置で、前記係合部材と干渉しないように開放された開放部が形成されていることを特徴とする。
【００１２】
上記構成によれば、リンク部材の収納位置で、係合部材と干渉しないように開放された開放部が溝部に設けられているため、プラテンカバーを把持して開閉するときには、溝部と係合部が係合することはない。
【００１３】
本発明の請求項３に係る画像形成装置は、請求項１又は２記載において、前記操作部は、前記リンク部材に設けられた把手であって、前記把手が前記リンク部材の長手方向に沿って複数個設けられていることを特徴とする。
【００１４】
上記構成によれば、把手がリンク部材の長手方向に沿って複数個設けられているため、車椅子を使用するユーザーは、手が届き易い把手を握ってリンク部材を操作してプラテンカバーを開閉することができる。
【００１５】
本発明の請求４に係る画像形成装置は、請求項１乃至３何れか１項記載において、前記リンク部材には、前記リンク部材の長手方向に沿って伸びるスライド溝が設けられ、前記装置本体の側面には、前記スライド溝が嵌るピンが設けられていることを特徴とする。
【００１６】
上記構成によれば、リンク部材のスライド溝がピンに嵌められるため、車椅子を使用するユーザーは、リンク部材をピンを中心に回動させたり、上下方向に移動させたりすることができる。これにより、リンク部材からプラテンカバーの係合部材にプラテンカバーの開度に応じた力を与えることができる。
【００１７】
本発明の請求項５に係る画像形成装置は、請求項４記載において、前記ピンが係合して前記リンク部材を所定の位置でロックするロック部が前記スライド溝につながって設けられていることを特徴とする。
【００１８】
上記構成によれば、スライド溝につながって設けられたロック部がピンと係合し、リンク部材を所定の位置でロックする。このため、リンク部材をロックした状態で、ユーザーは操作部から手を離してプラテンガラス上に原稿を載せることができる。
【００１９】
本発明の請求項６に係る画像形成装置は、請求項１又は２記載において、前記操作部は、装置本体に回動可能に取り付けられたレバーと、前記レバーの回転軸に設けられ、前記プラテンカバーを開ける方向だけに回転すると共に、ギア歯を有しない歯無部を備えるラチェットギアと、前記ラチェットギアから回転力が伝達されると共に、前記プラテンカバーの所定の開放位置で前記歯無部と対向するギア群と、前記リンク部材に設けられ、前記ギア群と噛合うラックギアと、を備えることを特徴とする。
【００２０】
上記構成によれば、プラテンカバーが閉じている状態で、車椅子を使用するユーザーが、レバーを前後に揺動させると、ラチェットギアがプラテンカバーを開ける方向に回転する。さらに、回転するラチェットギアは、ギア群を回転させ、ギア群は、ギア群と噛合うラックギアを介してリンク部材を移動させ、プラテンカバーを開ける。
【００２１】
また、ラチェットギアに歯無部が設けられており、ラチェットギアから回転力が伝達されるギア群がプラテンカバーの所定の開放位置でラチェットギアの歯無部と対向すると、ギア群が回転自在となる。これにより、リンク部材がプラテンカバーの自重で押され、ギア群を逆回転させながら、プラテンカバーが閉じる。
【００２２】
このように、車椅子を使用したユーザーはプラテンガラスに原稿を載せるために必要なスペースを得るまでプラテンカバーを開けることができる。
【００２３】
本発明の請求項７に係る画像形成装置は、請求項６記載において、前記ラックギアと噛合うと共に、回転抵抗力が付与されたダンパーギアを備えることを特徴とする。
【００２４】
上記構成によれば、ラックギアには、回転抵抗力が付与されたダンパーギアが噛合っているため、プラテンカバーが閉じる場合に、ダンパーギアの回転抵抗力がラックギアに付与され、プラテンカバーをゆっくり閉じることができる。
【発明の効果】
【００２５】
本発明によれば、車椅子等を使用したユーザーがプラテンガラスに原稿を載せるために必要なスペースを得るまでプラテンカバーを開けることができる。
【発明を実施するための最良の形態】
【００２６】
本発明の画像形成装置１０の第１実施形態を図１から図５に従って説明する。
【００２７】
図５に示されるように、画像形成装置１０は、シート材Ｐに画像形成を行う装置本体部１２を備え、装置本体部１２内にイエロのトナー画像を形成する現像器２４Ｙ、マゼンタのトナー画像を形成する現像器２４Ｍ、シアンのトナー画像を形成する現像器２４Ｃ、及びブラックのトナー画像を形成する現像器２４Ｋが上から順に縦方向に配置されている。なお、ＹＭＣＫを区別する必要がある場合は、符号の後に、Ｙ、Ｍ、Ｃ、Ｋのいずれかを付して説明し、ＹＭＣＫを区別する必要がない場合は、ＹＭＣＫを省略する。
【００２８】
一方、現像器２４の上方に配置された感光体カートリッジ１８は、ドラム状の感光体２２と、この感光体２２の表面を帯電させる帯電ローラ２６を備えている。さらに、感光体２２の表面を露光して静電潜像を形成する各色に対応した光走査装置１４が感光体カートリッジ１８に隣接して配置されている。
【００２９】
また、現像器２４Ｙ、２４Ｍ、２４Ｃ、２４Ｋに備えられた現像ローラ２０は、感光体２２の静電潜像をそれぞれイエロ（Ｙ）、マゼンタ（Ｍ）、シアン（Ｃ）、クロ（Ｋ）のトナーで現像して可視化する。
【００３０】
さらに、感光体２２のトナー画像をシート材Ｐに転写する転写ローラ３０が感光体２２に対向して配置され、画像形成部４６を構成している。
【００３１】
一方、装置本体部１２内の下方部には、シート材Ｐを収容する給紙カセット１６が設けられている。この給紙カセット１６には、シート材Ｐを所定のタイミングで送り出すフィードローラ３２が設けられており、フィードローラ３２と現像器２４Ｋとの間に位置するシート材Ｐの搬送経路２８には、ニップ搬送ローラ３４が設けられると共に、ニップ搬送ローラ３４の下流側には、光学式のシート材通過センサ３６が配置されている。
【００３２】
このシート材通過センサ３６は、シート材Ｐの先端を検出するものであり、この検出タイミングに基づいて、各光走査装置１４の静電潜像の書込タイミングが制御される。さらに、現像器２４Ｙの下流側に位置する搬送経路２８には、トナー画像を加熱圧着することでシート材Ｐに定着させる定着装置３８が設けられており、この定着装置３８の筐体３９の内部には、ヒータを内蔵した定着ローラ３８Ａと加圧ローラ３８Ｂとが設けられている。
【００３３】
この定着装置３８の下流側には、トナー画像が定着されたシート材Ｐを案内する案内部材４８と、案内部材４８によって案内されたシート材Ｐを装置本体部１２の側面に設けられた排出トレイ４２に案内する複数の搬送ローラ５２及び排出ローラ４０が設けられている。
【００３４】
さらに、装置本体部１２の上部には、原稿シート材Ｐの画像情報を読み取る画像読取部が設けられており、プラテンカバー５０を開いてプラテンガラス（図示省略）に原稿シート材Ｐを載置し、さらに、プラテンカバー５０を閉じて載置された原稿シート材Ｐを押圧し、原稿シート材Ｐの画像情報を読み取ることができる。なお、プラテンカバー５０の開閉方法については詳細を後述する。
【００３５】
上記構成による画像形成装置１０では、次のようにして画像が形成される。
【００３６】
まず、図５に示されるように、電圧が印加された帯電ローラ２６は、感光体２２の表面を予定の帯電部電位で一様にマイナス帯電する。
【００３７】
続いて、プラテンガラスに載せられた原稿シート材Ｐの画像情報を画像読取装置（図示省略）が読み取り、この画像情報に基づいて光走査装置１４が帯電された感光体２２を露光し、感光体２２上に静電潜像を形成させる。
【００３８】
すなわち、画像読取装置からの画像情報に基づき、光走査装置１４から出射されるレーザをオン・オフすることによって画像情報に対応した静電潜像が感光体２２上に形成される。
【００３９】
また、感光体２２上の静電潜像は現像ローラ２０を通過する時に現像器２４に担持されたトナーで現像され、トナー画像として可視化される。
【００４０】
そこで、給紙カセット１６に収納され、フィードローラ３２によって送り出されたシート材Ｐが、感光体２２と転写ローラ３０との間の画像形成部４６を通り、トナー画像がシート材Ｐに転写される。この転写されたトナー画像は、定着装置３８に備えられた定着ローラ３８Ａと加圧ローラ３８Ｂの間を挟持搬送されることで加熱圧着されてシート材Ｐに定着される。
【００４１】
また、トナー画像が定着されたシート材Ｐは、案内部材４８に案内され、排出ローラ４０によって装置本体部１２の側面に設けられた排出トレイ４２に排出される。
【００４２】
次に、プラテンカバー５０の開閉方法について詳細に説明する。
【００４３】
図４に示されるように、プラテンカバー５０の側面（プラテンカバー５０の開閉方向の側面）には、自由端側に係合部材としての円柱部材５４が設けられている。さらに、後述する操作時にこの円柱部材５４と係合するＵ溝５６が先端部に形成された板状のリンク部材５８が装置本体部１２の側面に設けられている。
【００４４】
詳細には、Ｕ溝５６は、プラテンカバー５０の開閉方向の前後に伸びて後方に開放部５６Ｂを有する円弧形状をしている。Ｕ溝５６の下方には、上下方向に伸びるスライド溝６０がリンク部材５８に設けられている。また、スライド溝６０は、装置本体部１２に設けられた円柱状のピン６２に嵌められており、このスライド溝６０をピン６２に沿って移動させることで、リンク部材５８を操作する構成となっている。
【００４５】
また、スライド溝６０の下端には、ロック部としてのＪ字形状のロック溝６４がスライド溝６０につながって設けられており、ピン６２をこのロック溝６４に係合させることで、リンク部材５８が後述するプラテンカバー５０の開放位置で保持されるようになっている。
【００４６】
さらに、ロック溝６４の下方には、リンク部材５８を操作するための操作部としての把手６６が開口されており、ユーザーはこの把手６６を握って、リンク部材５８を操作することができる。
【００４７】
この構成により、車椅子を使用したユーザーがプラテンカバー５０を開く場合は、先ず、図１（Ａ）に示されるように、画像形成装置１０に側方から接近し、ユーザーは手を伸ばして収納位置にあるリンク部材５８の把手６６を握る。次に、図１（Ｂ）に示されるように、把手６６を引き寄せ、リンク部材５８をピン６２中心に回動させ、Ｕ溝５６に円柱部材５４を係合させる。なお、側方からみて、収納位置にあるリンク部材５８は、画像形成装置１０より前方（ユーザーが作業する側）に突出することなく配置されている。
【００４８】
次に、図２（Ａ）に示されるように、ユーザーが把手６６を斜め上方に突き出し、リンク部材５８のスライド溝６０をピン６２に沿ってスライドさせ、Ｕ溝５６に係合した円柱部材５４を押し上げ、プラテンカバー５０を開ける。さらに、図２（Ｂ）に示されるように、ピン６２をロック溝６４に係合させることで、プラテンカバー５０は開放状態で保持される。
【００４９】
ここで、Ｕ溝５６には、半円状の突起部５６Ａが設けられており、円柱部材５４は、突起部５６Ａと当接し、リンク部材５８はその位置で安定して保持される。
【００５０】
なお、プラテンカバー５０を閉じる場合は、ロック溝６４とピン６２の係合を解除し、スライド溝６０をピン６２に沿ってスライドさせることで、開放する手順と逆の手順によって、プラテンカバー５０を閉じることができる。ここで、回転軸６８にダンパー（図示省略）を設けることで、プラテンカバー５０が急激に閉じることを防止することができる。
【００５１】
従って、車椅子を使用したユーザーがプラテンガラスに原稿を載せるために必要なスペースを得るまでプラテンカバー５０を開けることができる。
【００５２】
また、プラテンカバー５０を開放した状態で、ロック溝６４にピン６２を係合させることで、ユーザーはリンク部材５８から手を離してプラテンガラス上に原稿シート材Ｐを載せることができる。
【００５３】
また、プラテンカバー５０にリンク部材５８からの力を伝達する円柱部材５４がプラテンカバー５０の側面に設けられているため、円柱部材５４の前後位置を調整することでプラテンカバー５０の回転軸６８からの距離を調整することができ、これにより、ユーザーの操作力を軽減することができる。
【００５４】
一方、健常者がプラテンカバー５０を開く場合は、先ず、図３（Ａ）に示されるように、画像形成装置１０に正面から接近し、ユーザーはプラテンカバー５０の前端部を握り、図３（Ｂ）に示されるように、手を斜め上方に伸ばして、プラテンカバー５０を開放する。
【００５５】
ここで、Ｕ溝５６の溝壁には、その後方に円柱部材５４と干渉しないように開放部５６Ｂが設けられており、リンク部材５８の収納位置では、Ｕ溝５６と円柱部材５４は係合しない構成となっている。このため、プラテンカバー５０を開いても、リンク部材５８は移動しない。
【００５６】
従って、健常者が、プラテンカバー５０を開閉する場合は、リンク部材５８が障害となる事無く、従来どおり、プラテンカバー５０を開閉することができる。
【００５７】
また、側方からみて、収納位置にあるリンク部材５８は、画像形成装置１０より前方（ユーザーが作業する側）に突出していないため、リンク部材５８が邪魔になることはない。さらに、リンク部材５８を画像形成装置１０の内部に設けることで、画像形成装置１０の側面に突出しない構成としてもよい。
【００５８】
次に本発明の画像形成装置１０の第２実施形態を図６に従って説明する。
【００５９】
なお、第１実施形態と同一部材については、同一符号を付してその説明を省略する。
【００６０】
図６に示されるように、この実施形態では第１実施形態とは違い、リンク部材５８の長手方向に沿って、把手７０が複数個設けられている。このため、車椅子を使用するユーザーは、手が届き易い把手７０を握って容易にプラテンカバー５０を開閉することができる。
【００６１】
次に本発明の画像形成装置１０の第３実施形態を図７から図１１に従って説明する。
【００６２】
なお、第１実施形態と同一部材については、同一符号を付してその説明を省略する。
【００６３】
図１１に示されるように、この実施形態では第１実施形態とは違い、プラテンカバー５０の側面に設けられた円柱部材５４を押し上げるＵ溝９４を備えた板状のリンク部材８０には、上下に伸びるラックギア８２が設けられている。
【００６４】
詳細には、図７に示されるように、Ｕ溝９４は、前後方向に伸びて前方に開放部９４Ｂを有しており、Ｕ溝９４の下方には、上下に伸びるラックギア８２が、リンク部材８０の前後面に設けられている。
【００６５】
このラックギア８２の前方には、ラックギア８２と噛合って従動回転するギア群８４が設けられており、ギア群８４は、ラックギア８２と噛合う第１ギア８４Ａと第１ギア８４Ａと噛合う第２ギア８４Ｂとから構成されている。
【００６６】
また、第２ギア８４Ｂと対向する位置には、プラテンカバー５０を開く方向だけに回転し、さらに、ギア歯を有しない歯無部８６Ａを備えるラチェットギア８６が設けられている。
【００６７】
また、ラチェットギア８６の回転軸には、把手８８Ａを備えたレバー８８の回転軸が設けられている。さらに、レバー８８とラチェットギア８６の間には、プラテンカバー５０を開く方向の回転力だけをレバー８８からラチェットギア８６に伝達するワンウェイクラッチ９０が設けられている。
【００６８】
さらに、レバー８８の中央部には、レバー８８を一の方向に付勢するコイルスプリング９６の一端が固定されており、コイルスプリング９６の他端は、装置本体部１２に固定されている。なお、レバー８８の回転軸には、図示せぬ回転ストッパーが設けられており、レバー８８は、コイルスプリング９６に付勢され所定の位置で保持されるようになっている。
【００６９】
つまり、ユーザーがレバー８８を図中Ａ方向及びＢ方向に往復回動させると、この回転力がラチェットギア８６に伝達され、ラチェットギア８６は、Ｃ方向のみに回転するようになっている。
【００７０】
一方、ラックギア８２の第１ギア８４Ａと対向する位置には、ラックギア８２と噛合い、さらに、回転抵抗力が付与されたダンパーギア９２が設けられている。
【００７１】
この構成により、車椅子を使用したユーザーがプラテンカバー５０を開く場合は、先ず、図７に示されるように、画像形成装置１０に側方から接近し、ユーザーは手を伸ばして収納位置にあるレバー８８の把手８８Ａを握り、レバー８８をＡ方向及びＢ方向に往復回動させる。
【００７２】
レバー８８を往復回動させると、図８に示されるように、ラチェットギア８６が矢印Ｃ方向に回転し、ラチェットギア８６が第２ギア８４Ｂと噛合い、第２ギア８４Ｂが矢印Ｄ方向に回転する。さらに、第２ギア８４Ｂが矢印Ｄ方向に回転すると、第２ギア８４Ｂと噛合う第１ギア８４Ａは、矢印Ｅ方向に回転し、ラックギア８２が上方へ移動する。
【００７３】
ラックギア８２が上方へ移動することで、円柱部材５４がリンク部材８０のＵ溝９４に押し上げられ、プラテンカバー５０が開き始める。
【００７４】
図９に示されるように、円柱部材５４がリンク部材８０によって押し上げられ、プラテンカバー５０が全開放されると、ラチェットギア８６の歯無部８６Ａが、第２ギア８４Ｂと対向し、ギア群８４は、回転自在となる。
【００７５】
ギア群８４が回転自在になることで、リンク部材８０は、プラテンカバー５０の荷重により下方に移動し始め、プラテンカバー５０が閉じ始める。ここで、ラックギア８２には、回転抵抗力が付与されたダンパーギア９２が噛合っている。このため、リンク部材８０はゆっくり下方に移動し、プラテンカバー５０はゆっくり閉じ、図７に示すように、プラテンカバー５０を閉じることができる。
【００７６】
従って、車椅子を使用したユーザーがレバー８８の把手８８Ａを握り往復回動させることで、プラテンカバー５０を開き、把手８８Ａから手を離してプラテンガラス上に原稿シート材Ｐを載置することができる。さらに、プラテンカバー５０を閉じる時は、ユーザーは、さらにレバー８８を回動させ、プラテンカバー５０を全開放することで、ラチェットギア８６の歯無部８６Ａを第２ギア８４Ｂに対向させ、プラテンカバー５０を閉じることができる。
【００７７】
一方、健常者がプラテンカバー５０を開く場合は、図１０に示されるように、画像形成装置１０に正面から接近し、ユーザーはプラテンカバー５０の前端部を握り、手を斜め上方に伸ばして、プラテンカバー５０を開放する。
【００７８】
ここで、Ｕ溝９４には、その前方に開放部９４Ｂが設けられており、リンク部材５８の収納位置では、Ｕ溝９４と円柱部材５４は係合しない構成となっている。このため、プラテンカバー５０を開いても、リンク部材５８は移動しない。
【図面の簡単な説明】
【００７９】
【図１】（Ａ）本発明の第１実施形態に係る画像形成装置を示し、プラテンカバーが閉じられ、リンク部材が収納されている状態を示した側面図である。（Ｂ）本発明の第１実施形態に係る画像形成装置を示し、プラテンカバーが閉じられ、リンク部材を操作し始めた状態を示した側面図である。
【図２】（Ａ）本発明の第１実施形態に係る画像形成装置を示し、プラテンカバーが開けられた状態を示した側面図である。（Ｂ）本発明の第１実施形態に係る画像形成装置を示し、プラテンカバーが開けられ、リンク部材がロックされた状態を示した側面図である。
【図３】（Ａ）本発明の第１実施形態に係る画像形成装置を示し、プラテンカバーが閉じられた状態を示した側面図である。（Ｂ）本発明の第１実施形態に係る画像形成装置を示し、プラテンカバーが健常者によって開かれた状態を示した側面図である。
【図４】本発明の第１実施形態に係る画像形成装置の斜視図である。
【図５】本発明の第１実施形態に係る画像形成装置の概略構成図である。
【図６】（Ａ）本発明の第２実施形態に係る画像形成装置を示し、プラテンカバーが閉じられ、リンク部材が収納されている状態を示した側面図である。（Ｂ）本発明の第２実施形態に係る画像形成装置を示し、プラテンカバーが閉じられ、リンク部材を操作し始めた状態を示した側面図である。
【図７】本発明の第３実施形態に係る画像形成装置を示し、プラテンカバーが閉じられ、リンク部材が収納されている状態を示した側面図である。
【図８】本発明の第３実施形態に係る画像形成装置を示し、プラテンカバーを開け始めた状態を示した側面図である。
【図９】本発明の第３実施形態に係る画像形成装置を示し、プラテンカバーを開放した状態を示した側面図である。
【図１０】本発明の第３実施形態に係る画像形成装置を示し、プラテンカバーを健常者が開放した状態を示した側面図である。
【図１１】本発明の第３実施形態に係る画像形成装置を示した斜視図である。
【符号の説明】
【００８０】
１０    画像形成装置
１２    装置本体部
５０    プラテンカバー
５４    円柱部材
５６Ｂ  開放部
５６    Ｕ溝（溝部）
５８    リンク部材
６０    スライド溝
６２    ピン
６４    ロック溝
６６    把手（操作部）
７０    把手（操作部）
８０    リンク部材
８２    ラックギア
８４    ギア群
８６    ラチェットギア
８６Ａ  歯無部
８８    レバー
８８Ａ  把手（操作部）
９０    ワンウェイクラッチ
９２    ダンパーギア
９４Ｂ  開放部
９４    Ｕ溝（溝部）
【図１】
2008118528.tif 000003
【図２】
2008118528.tif 000004
【図３】
2008118528.tif 000005
【図４】
2008118528.tif 000006
【図５】
2008118528.tif 000007
【図６】
2008118528.tif 000008
【図７】
2008118528.tif 000009
【図８】
2008118528.tif 000010
【図９】
2008118528.tif 000011
【図１０】
2008118528.tif 000012
【図１１】
2008118528.tif 000013